(57)【要約】      （修正有）【課題】ワイヤレス・タイプの車内用の音楽再生電子装置を提供する。【解決手段】タバコ点火器のソケットに差し込まれて電源をＭＰ３音楽再生装置の使用に供するように取り出すようにしたタバコ点火器プラグ１１と、電子装置の出力した第一の音楽信号の入力を受信するトランスミッション・モジュール１５と、第一の音楽信号を、聴取可能な第二の音楽信号になるように処理する再生モジュール１６と、第二の音楽信号をラジオ信号に転換して発信するＦＭラジオ発信モジュール１３と、を少なくとも備えている。【選択図】図２
0003105308.tif 000002
【実用新案登録請求の範囲】
【請求項１】
車両内のタバコ点火器のソケットに差し込まれて電気的に接続されると共に、外部に電子装置を接続した、タバコ点火器プラグ結合ＭＰ３音楽再生装置において、
前記のタバコ点火器のソケットに差し込まれて電源をＭＰ３音楽再生装置の使用に供するように取り出したタバコ点火器プラグと、
前記電子装置の出力した第一の音楽信号の入力を受信するトランスミッション・モジュールと、
前記第一の音楽信号を、聴取可能な第二の音楽信号になるように処理する再生モジュールと、
前記第二の音楽信号をラジオ信号に転換して発信するＦＭラジオ発信モジュールと、
を少なくとも備えていることを特徴とするタバコ点火器プラグ結合ＭＰ３音楽再生装置。
【請求項２】
前記トランスミッション・モジュールには、
コネクト・インターフェースと、
前記コネクト・インターフェースの情報のアクセスをコントロールするためのトランスミッション・コントローラと、
を備えていることを特徴とする請求項１に記載のタバコ点火器プラグ結合ＭＰ３音楽再生装置。
【請求項３】
前記コネクタ・インターフェースとしてＵＳＢまたはＩＥＥＥ１３９４を使用すると共に、前記トランスミッション・コントローラとしてＵＳＢのＯＴＧチップやＵＳＢのホスト・コントローラやＩＥＥＥ１３９４のコントロール・チップなどのいずれか一つを好適に使用することを特徴とする請求項２に記載のタバコ点火器プラグ結合ＭＰ３音楽再生装置。
【請求項４】
前記タバコ点火器プラグには、
前記タバコ点火器のソケットに差し込まれるプラグ・インターフェースと、
前記プラグ・インターフェースを介して取得する電源をＭＰ３音楽再生装置に好適に使用できる仕様の電源に転換するＤＣスタビライザーと、
を備えていることを特徴とする請求項１に記載のタバコ点火器プラグ結合ＭＰ３音楽再生装置。
【請求項５】
前記再生モジュールとしてＭＰ３音楽再生装置を使用すると共に、前記ＦＭラジオ発信モジュールとして周波数モジュレート発信チップを使用し、且つ前記の電子装置には音楽ファイルが記憶されており、且つ前記電子装置として携帯式ディスクまたはＭＰ３プレイヤーなどのいずれか一種を好適に使用することを特徴とする請求項１に記載のタバコ点火器プラグ結合ＭＰ３音楽再生装置。
【請求項６】
再生モジュールに対し、再生や停止や早送りや早戻しや繰り返し再生やランダム再生などのいずれ一つのコマンドを下すオペレーティング・モジュールと、
前記ラジオ発信モジュールに対し予め設定されたラジオ発信周波数を入力する周波数設定モジュールと、
をさらに有することを特徴とする請求項１に記載のタバコ点火器プラグ結合ＭＰ３音楽再生装置。
【考案の詳細な説明】
【技術分野】
【０００１】
本考案は、タバコ点火器プラグ結合ＭＰ３音楽再生装置に係わり、特に再生された音楽をラジオ信号によって外部へ発信させるようにした電子装置に関するものである。
【背景技術】
【０００２】
近年では、電子製品が、軽薄短小の方向へ発展し、例えば、マーケットにおいては、活躍している携帯式ディスク（英語ネームはＰｅｎ  Ｄｒｉｖｅｒ）には、前記のそれぞれの特徴を揃えているほか、小さい仕様に大きい記憶容量を結合した優勢を有するので、そのような携帯式ディスクが既に従来のソフト・ディスクのメモリとしての地位を取り換えており、また、機能性の整合の特性を加えて、そのような携帯式ディスクが大きい容量の情報記憶機能を提供できるほか、さらに、録音機能とラジオ放送受信機能と、現在最もはやっているＭＰ３音楽を再生する機能などのエキスパティング・ファンクションを備えている。
【０００３】
前記のそれぞれの原因を有するため、そのような携帯式ディスクが同時に情報記憶機能と音楽再生機能などの各種の機能を揃えているので、使用者は、自分の好みに従ってＭＰ３フォーマットの音楽ファイルをそのような携帯式ディスクに記憶でき、且つ同時にＭＰ３音楽を再生して楽しむことができる。しかしながら、使用者はそのような携帯式ディスクを使って音楽を楽しむ際、普段は、携帯式ディスクにおけるサウンド・アウトプット・ホールを介してイヤホンまたはスピーカを接続することによって、使用者がイヤホンまたはスピーカを介して音楽の再生エフェクトを楽しむことができるようになるが、そのような場合では、携帯式ディスクのサウンド・アウトプット・ホールにはコネクト・ワイヤを介してイヤホンまたはスピーカを接続する必要がある。
【０００４】
前記の説明から分かるように、使用者は携帯式ディスクを使用して音楽を聴取する場合に、すべて携帯式ディスクのサウンド・アウトプット・ホールを介してワイヤ付きの方式によって音声を出力するので、そのコネクト・ワイヤは邪魔になる場合があるので、聴取の過程に不便さを招く場合が多くある。そのため、従来のはやっているそのような携帯式ディスクの音楽を聴取する時にワイヤ付きトランスミッションによる不便さをなくすことができれば、使用者は携帯式ディスクを使用して音楽を楽しむ際にもっと便利になる。
【考案の開示】
【考案が解決しようとする課題】
【０００５】
本考案は、再生される音楽をラジオ信号に転換して発信すると共に、ラジオのような方式によってそれを聴取するように設計した、タバコ点火器プラグ結合ＭＰ３音楽再生装置を提供することをその主要な解決しようとする課題とする。
【０００６】
また、本考案は、バッテリや電池などは不要で、使用スペースをできる限り減少可能な特性を有する、タバコ点火器プラグ結合ＭＰ３音楽再生装置を提供することをその第二の解決しようとする課題とする。
【課題を解決するための手段】
【０００７】
前記のそれぞれの課題を解消して前記それぞれの目的を図るために、本考案による“タバコ点火器プラグ結合ＭＰ３音楽再生装置”は、車内のタバコ点火器のソケットに差し込まれて電気的に接続されると共に、外部に電子装置を接続しているように設計した装置において、前記タバコ点火器のソケットに差し込まれて電気的に接続され、電源を取得してＭＰ３音楽再生装置の使用に供するようにしたタバコ点火器プラグと、前記電子装置の出力する第一の音楽信号の入力を受信するトランスミッション・モジュールと、前記第一の音楽信号を処理して聴取可能な第二の音楽信号を生成する再生モジュールと、前記第二の音楽信号をラジオ信号の方式によって発信するＦＭラジオ発信モジュールと、を少なくとも備えている。
【０００８】
また、前記ＦＭラジオ発信モジュールに使用される発信周波数について、周波数設定モジュールによって予め設定を実行することによって、現在のラジオ放送局の使用している周波数が干渉可能な周波数範囲に入らせないように設定するようにしてもよい。
【０００９】
また、前記の再生モジュールのオペレーティングについては、オペレーティング・モジュールを使用し、再生（ＰＬＡＹ）や停止（ＳＴＯＰ）や早送り（ＦＦ）や早戻し（ＦＲ）や繰り返し再生（ＲＥＰＥＡＴ）やランダム再生（ＲＡＮＤＯＭ）などのコントロール・コマンドを発行するようにしてもよい。
【００１０】
本考案の特徴とその技術内容をさらに詳しく開示するために、以下に添付図面を参照しながら、本考案の優れる実施の形態を詳細的で具体的に説明するが、それらの説明による具体的な構成は、本考案を狭義的に局限するものではないことは言うまでもない。
【考案を実施するための最良の形態】
【００１１】
図１は、本考案のタバコ点火器プラグ結合ＭＰ３音楽再生装置の外見を示す説明図であり、図１において、タバコ点火器プラグ結合ＭＰ３音楽再生装置１は、その先端部におけるプラグ・インターフェース１１１によって車両の内部のタバコ点火器のソケットと結合することができると共に、そのソケットより電源を取得することができる。そのため、本考案による“タバコ点火器プラグ結合ＭＰ３音楽再生装置”には、バッテリや電池などを接続する必要はなく、且つそのタバコ点火器プラグ結合ＭＰ３音楽再生装置１の尾端部におけるトランスミッション・インターフェース１５１を介して音楽を出力可能な電子装置と接続することができるので、タバコ点火器プラグ結合ＭＰ３音楽再生装置１が外界より音楽信号をキャッチした後、その内部の電気回路の設計によって、受信した音楽信号を再生すると共に、ラジオ発信の方式によって発信し、聴取する場合に、ラジオ装置によってタバコ点火器プラグ結合ＭＰ３音楽再生装置１より発信するラジオ信号を受信できるため、従来のようなコネクト・ワイヤなどの手段が不要になるので、ワイヤ接続することによるすべての不便さをなくすことができる。
【００１２】
前記に掲げたものは、単に、タバコ点火器プラグ結合ＭＰ３音楽再生装置１の機能のことを簡略的に説明したが、その効果を達成するための技術手段については、図２に示すようであり、図２は、本考案のタバコ点火器プラグ結合ＭＰ３音楽再生装置１の機能を表すブロック図であり、そのタバコ点火器プラグ結合ＭＰ３音楽再生装置１には、タバコ点火器プラグ１１と、ＦＭラジオ発信モジュール１３と、トランスミッション・モジュール１５と、再生モジュール１６と、オペレーティング・モジュール１７と、周波数設定モジュール１８とを備えている。
【００１３】
タバコ点火プラグ１１は、電源を出力してタバコ点火器プラグ結合ＭＰ３音楽再生装置１の使用に供することができ、そのタバコ点火器プラグ１１には、プラグ・インターフェース１１１と、ＤＣスタビライザー１１２とを有し、プラグ・インターフェース１１１として好ましくは点火器のプラグを好適に使用したほうがよく、それを車両の内部におけるタバコ点火器ソケットに差し込んで電源を取り出すことができる。また、ＤＣスタビライザー１１２が、前記のタバコ点火器ソケットより取り出される直流電圧に対し電圧低下処理をし、且つタバコ点火器プラグ結合ＭＰ３音楽再生装置１に使用に可能な仕様の電源を出力することができる。
【００１４】
トランスミッション・モジュール１５が外部の音楽信号の出力可能な電子装置３（例えば携帯式ディスクまたはＭＰ３プレイヤーなど）を接続するためのものであり、電子装置３の内部には音楽フォーマットのファイルが記憶されており、そのため、電子装置３の出力する音楽信号がそのトランスミッション・モジュール１５を介してタバコ点火器プラグ結合ＭＰ３音楽再生装置１の内部にトランスミッションできる。トランスミッション・モジュール１５が、トランスミッション・コントローラ１５２とコネクト・インターフェース１５１からなるものであり、コネクト・インターフェース１５１としては、好ましくはＵＳＢ（ユニバーサル・シリアル・バス）を使用したほうがよいが、それだけに限定するものではないことは言うまでもなく、ＩＥＥＥ１３９４のスタンダード・バスを使用してもよい。トランスミッション・コントローラ１５２は、コネクト・インターフェース１５１の電子装置３に対する情報のアクセスをコントロールでき、トランスミッション・コントローラ１５２としては好ましくはＵＳＢのＯＴＧチップまたはホスト・コントローラ・チップまたはＩＥＥＥ１３９４の仕様に該当するコントロール・チップなどを好適に使用できる。
【００１５】
再生モジュール１６は、トランスミッション・モジュール１５の出力する音楽の信号を受信するものであり、そのトランスミッション・モジュール１５の出力がデジタル化の音楽信号であるので、再生モジュール１６がそのデジタル化の音楽信号を聴取可能なアナログ・タイプの音楽信号になるように処理する必要がある。この実施の形態においては、その再生モジュール１６として好ましくはＭＰ３デコーダを使用し、ＭＰ３／ＷＭＡなどのフォーマットのファイルの音声の再生のことをサポートできるものを好適に採用すればよく、他に、再生モジュール１６がオペレーティング・モジュール１７の発行するコマンドに従って対応する再生（ＰＬＡＹ）や停止（ＳＴＯＰ）や早送り（ＦＦ）や早戻し（ＦＲ）や繰り返し再生（ＲＥＰＥＡＴ）やランダム再生（ＲＡＮＤＯＭ）などの音楽のコントロールの操作を実行できる。
【００１６】
また、再生モジュール１６の出力した音楽を、ラジオ放送の方式によって外部へ放送させるために、本実施の形態においては、ＦＭラジオ発信モジュール１３によって再生モジュール１６の出力する音楽信号を受信すると共に、特定の周波数によってラジオ信号の方式により音楽信号を外界へ放送して再生に供する。本実施の形態においては、ＦＭラジオ発信モジュール１３としては好ましくは周波数モジュレート発信チップを使用し、周波数モジュレート信号によって再生モジュール１６の出力する音楽信号を載置し、好ましい出力音楽の品質を提供する。現在の周波数モジュレート・ラジオ局の発信する所定の範囲のラジオ電波を干渉しないように、周波数設定モジュール１８によって予め設定される発信周波数をＦＭラジオ発信モジュール１３に入力することによって、ＦＭラジオ発信モジュール１３に予め設定される周波数にて発信させられるように処理し、周波数モジュレートについて言うと、予め設定される周波数は好ましくは８７．７〜８８．９ＭＨｚまたは１０６．７〜１０７．９ＭＨｚとの間の周波数セクションを採用したほうが好ましい。
【００１７】
前記に説明したように、本考案による“タバコ点火器プラグ結合ＭＰ３音楽再生装置１”は、実際に使用される場合に、図３に示すように、そのタバコ点火器プラグ結合ＭＰ３音楽再生装置１を車両の内部に導入使用すると共に、車両内部のラジオ装置によって音楽を再生する。まず、タバコ点火器プラグ結合ＭＰ３音楽再生装置１は、そのプラグ・インターフェース１１１を車両の内部のタバコ点火器ソケット４に差し込むことによって、直流出力電流を取得し、且つタバコ点火器プラグ結合ＭＰ３音楽再生装置１のコネクト・インターフェース１５１より外部へ電子装置３を接続し、この電子装置として音楽信号を出力可能な携帯式ディスクなどの手段を好適に使用できる。
【００１８】
そのため、電源の供給と音楽の信号を取得する状況下で、タバコ点火器プラグ結合ＭＰ３音楽再生装置１は、オペレーティング・モジュール１７によって音楽の再生を実行でき、且つその音楽の再生過程においては、ＦＭラジオ発信モジュール１３より音楽信号をラジオ放送の方式によって外部へ発信し、それによって、車両内における使用者は、車両内のラジオ装置に電力を投入することによって、且つ周波数設定モジュール１８の予め設定される周波数範囲内に位置させるように周波数をモジュレートすることにより、車内で、ラジオ放送の方式によって電子装置の出力する音楽を楽しむことができる。もちろん、使用者はヘッドにつけるタイプのラジオ信号受信機能を有するイヤホンによって本考案のタバコ点火器プラグ結合ＭＰ３音楽再生装置１の出力する音楽を聴取できる。他に、音楽信号のソースとして携帯式ディスクを使用するほか、ＭＰ３プレイヤーによって提供してもよい。
【産業上の利用可能性】
【００１９】
そのため、本考案によるタバコ点火器プラグ結合ＭＰ３音楽再生装置には、少なくとも下記のような複数の産業上の優れる利用性を有する：
（１）一種のワイヤレスの音楽再生装置を提供できると共に、放送機能を利用して放送中の音楽信号をラジオ電波によって外部へ発信し、且つラジオ装置によって即時に受信聴取でき、こうすると、ワイヤ付きタイプの放送の場合の様々な不便さをなくすことができる。
（２）バッテリや電池などを取り付ける必要はなく、外部よりパワーを取得できるので、その仕様を縮小することができる。
（３）聴取可能な周波数範囲は柔軟的に設定でき、受信過程中に他の放送局による周波数干渉を避けることができる。
（４）エキスパンティング・アビリティが好ましいコネクト・インターフェースを提供することによって音楽信号のソースを取得し、例えば、ＵＳＢタイプのコネクト・インターフェースを使用する場合、現在の多くのＵＳＢ電子装置と接続して使用できる。
【００２０】
また、前記に説明したそれぞれの構成は、単に本考案の実施可能な優れる実施例に過ぎず、いずれの当該分野における技術者は本考案の分野内で容易に変更や改造などを実施できるが、本考案の技術の要旨より逸脱しないと共に、本考案と相同の効果を有する場合では、すべて本考案の主張範囲内にカバーされるべきことが言うまでもない。
【図面の簡単な説明】
【００２１】
【図１】本考案のタバコ点火器プラグ結合ＭＰ３音楽再生装置の外見を示す説明図である。
【図２】本考案のタバコ点火器プラグ結合ＭＰ３音楽再生装置の機能のことを示すブロック図である。
【図３】本考案のタバコ点火器プラグ結合ＭＰ３音楽再生装置が車両内に取り付けられて使用される場合の様子を示す説明図である。
【符号の説明】
【００２２】
１        タバコ点火器プラグ結合ＭＰ３音楽再生装置
３        電子装置
４        タバコ点火器ソケット
１１      タバコ点火器プラグ
１３      ＦＭラジオ発信モジュール
１５      トランスミッション・モジュール
１６      再生モジュール
１７      オペレーティング・モジュール
１８      周波数設定モジュール
１１１    プラグ・インターフェース
１１２    ＤＣスタビライザー
１５１    コネクト・インターフェース
１５２    トランスミッション・コントローラ
【図１】
0003105308.tif 000003
【図２】
0003105308.tif 000004
【図３】
0003105308.tif 000005